(57)【要約】【課題】枠体の意匠性を維持しながら戸袋側枠材の設置安定化を図ることが可能となる、開閉装置の枠体を提供すること。【解決手段】第２枠体１１０は、扉体２０によって開口部３を全開した状態において扉体２０を収納する戸袋３０を備えた第１開閉装置に併設される第２開閉装置１００であり、開口部３の開閉を行うシャッターカーテン１３０を備えた第２開閉装置１００を構成する第２枠体１１０であって、第２枠体１１０は、内まぐさ１１１と、水切り板１１３と、開口部３の戸袋３０側に位置する戸袋側枠材１１４とを備え、内まぐさ１１１又は水切り板１１３の少なくともいずれか一方を、建物の躯体に対して直接固定し、戸袋側枠材１１４を、建物の躯体に対して直接固定することなく、建物の躯体に対して直接固定されている内まぐさ１１１又は水切り板１１３の少なくともいずれか一方に対して固定した。【選択図】図２
2019082066.tif 000002
【特許請求の範囲】
【請求項１】
建物の開口部の開閉を水平方向に移動する第１開閉体によって前記開口部を全開した状態において前記第１開閉体を収納する戸袋を備えた第１開閉装置に併設される第２開閉装置であり、前記開口部の開閉を行う第２開閉体を備えた第２開閉装置を構成する枠体であって、
前記枠体は、前記開口部の上方側に位置する上側枠材と、前記開口部の下方側に位置する下側枠材と、前記開口部の前記戸袋側に位置する戸袋側枠材とを備え、
前記上側枠材又は前記下側枠材の少なくともいずれか一方を、前記建物の躯体に対して直接固定し、
前記戸袋側枠材を、前記建物の躯体に対して直接固定することなく、前記建物の躯体に対して直接固定されている前記上側枠材又は前記下側枠材の少なくともいずれか一方に対して固定した、
開閉装置の枠体。
【請求項２】
前記戸袋側枠材を、前記戸袋と当接しないように前記戸袋に対して隙間を隔てて配置した、
請求項１に記載の開閉装置の枠体。
【請求項３】
前記戸袋側枠材に取り付けられた戸袋側補強材であって、前記戸袋側枠材を補強するための戸袋側補強材を備え、
前記戸袋側補強材は、
前記戸袋側枠材の上側部分に位置する第１戸袋側補強材と、
前記戸袋側枠材の下側部分に位置する第２戸袋側補強材と、
前記戸袋側枠材の上側部分と下側部分との中間部分に位置する第３戸袋側補強材と、を備えた、
請求項１又は２に記載の開閉装置の枠体。
【請求項４】
前記第１戸袋側補強材又は前記第２戸袋側補強材の少なくともいずれか一方を、前記第３戸袋側補強材とは別体に形成した、
請求項３に記載の開閉装置の枠体。
【請求項５】
前記戸袋側枠材と前記戸袋とを接続するための接続手段を備えた、
請求項１から４のいずれか一項に記載の開閉装置の枠体。
【請求項６】
前記接続手段は、
前記戸袋の部分のうち前記戸袋側枠材よりも前記建物の屋外側に位置する部分に接続可能な第１接続手段と、
前記戸袋の部分のうち前記戸袋側枠材よりも前記建物の屋内側に位置する部分に接続可能な第２接続手段と、を含み、
前記第１接続手段又は前記第２接続手段のいずれか一方を、前記戸袋側枠材及び前記戸袋に選択的に接続した、
請求項５に記載の開閉装置の枠体。
【請求項７】
前記第２開閉体を収納する収納手段と、前記収納手段を支持する支持手段とを備えた前記第２開閉装置を構成する前記枠体であって、
前記戸袋側枠材を、前記支持手段とは別体に形成した、
請求項１から６のいずれか一項に記載の開閉装置の枠体。
【発明の詳細な説明】
【技術分野】
【０００１】
本発明は、開閉装置の枠体に関する。
【背景技術】
【０００２】
従来、建物の開口部に設けられている戸袋付きの雨戸に対して、雨戸を取り外すことなく後付けで設置可能なシャッター装置の枠体として、枠体を構成する枠材のうち戸袋側に位置する戸袋側枠材であって、雨戸の雨戸枠よりも上方に位置する建物の躯体であって戸袋側枠材を保持可能な躯体（例えば、壁の下地等）に固定される上端側取付部と、雨戸枠よりも下方に位置する建物の躯体に固定される下端側取付部とを有する戸袋側枠材を含む枠体が提案されている（例えば、特許文献１参照）。
【先行技術文献】
【特許文献】
【０００３】
【特許文献１】特開２０１４−７７２４３号公報
【発明の概要】
【発明が解決しようとする課題】
【０００４】
しかしながら、上記従来の枠体においては、上述したように、戸袋側枠材の上端側取付部又は下端側取付部が上記戸袋側枠材を保持可能な建物の躯体に対して固定されているので、開口部の近傍に建物の躯体が存在しない場合には、上端側取付部又は下端側取付部が外部に露出して目立ちやすくなることから、枠体の意匠性を低下させるおそれがあった。よって、枠体の意匠性を維持しながら戸袋側枠材の設置安定化を図る観点からは改善の余地があった。
【０００５】
本発明は、上記従来技術における課題を解決するためのものであって、枠体の意匠性を維持しながら戸袋側枠材の設置安定化を図ることが可能となる、開閉装置の枠体を提供することを目的とする。
【課題を解決するための手段】
【０００６】
上述した課題を解決し、目的を達成するために、請求項１に記載の開閉装置の枠体は、建物の開口部の開閉を水平方向に移動する第１開閉体によって前記開口部を全開した状態において前記第１開閉体を収納する戸袋を備えた第１開閉装置に併設される第２開閉装置であり、前記開口部の開閉を行う第２開閉体を備えた第２開閉装置を構成する枠体であって、前記枠体は、前記開口部の上方側に位置する上側枠材と、前記開口部の下方側に位置する下側枠材と、前記開口部の前記戸袋側に位置する戸袋側枠材とを備え、前記上側枠材又は前記下側枠材の少なくともいずれか一方を、前記建物の躯体に対して直接固定し、前記戸袋側枠材を、前記建物の躯体に対して直接固定することなく、前記建物の躯体に対して直接固定されている前記上側枠材又は前記下側枠材の少なくともいずれか一方に対して固定した。
【０００７】
請求項２に記載の開閉装置の枠体は、請求項１に記載の開閉装置の枠体において、前記戸袋側枠材を、前記戸袋と当接しないように前記戸袋に対して隙間を隔てて配置した。
【０００８】
請求項３に記載の開閉装置の枠体は、請求項１又は２一項に記載の開閉装置の枠体において、前記戸袋側枠材に取り付けられた戸袋側補強材であって、前記戸袋側枠材を補強するための戸袋側補強材を備え、前記戸袋側補強材は、前記戸袋側枠材の上側部分に位置する第１戸袋側補強材と、前記戸袋側枠材の下側部分に位置する第２戸袋側補強材と、前記戸袋側枠材の上側部分と下側部分との中間部分に位置する第３戸袋側補強材と、を備えた。
【０００９】
請求項４に記載の開閉装置の枠体は、請求項３に記載の開閉装置の枠体において、前記第１戸袋側補強材又は前記第２戸袋側補強材の少なくともいずれか一方を、前記第３戸袋側補強材とは別体に形成した。
【００１０】
請求項５に記載の開閉装置の枠体は、請求項１から４のいずれか一項に記載の開閉装置の枠体において、前記戸袋側枠材と前記戸袋とを接続するための接続手段を備えた。
【００１１】
請求項６に記載の開閉装置の枠体は、請求項５に記載の開閉装置の枠体において、前記接続手段は、前記戸袋の部分のうち前記戸袋側枠材よりも前記建物の屋外側に位置する部分に接続可能な第１接続手段と、前記戸袋の部分のうち前記戸袋側枠材よりも前記建物の屋内側に位置する部分に接続可能な第２接続手段と、を含み、前記第１接続手段又は前記第２接続手段のいずれか一方を、前記戸袋側枠材及び前記戸袋に選択的に接続した。
【００１２】
請求項７に記載の開閉装置の枠体は、請求項１から６のいずれか一項に記載の開閉装置の枠体において、前記第２開閉体を収納する収納手段と、前記収納手段を支持する支持手段とを備えた前記第２開閉装置を構成する前記枠体であって、前記戸袋側枠材を、前記支持手段とは別体に形成した。
【発明の効果】
【００１３】
請求項１に記載の開閉装置の枠体によれば、上側枠材又は下側枠材の少なくともいずれか一方を、建物の躯体に対して直接固定し、戸袋側枠材を、建物の躯体に対して直接固定することなく、建物の躯体に対して直接固定されている上側枠材又は下側枠材の少なくともいずれか一方に対して固定したので、第１開閉装置を取り外すことなく枠体を設置でき、枠体の施工性を向上できる。また、従来技術（戸袋側枠材を建物の躯体に対して直接取り付ける技術）に比べて、開口部の近傍に建物の躯体が存在しない場合に、戸袋側枠材が外部に露出することを抑制しながら戸袋側枠材を強固に固定でき、枠体の意匠性を維持しながら戸袋側枠材の設置安定化を図ることが可能となる。
【００１４】
請求項２に記載の開閉装置の枠体によれば、戸袋側枠材を、戸袋と当接しないように戸袋に対して隙間を隔てて配置したので、戸袋側枠材を戸袋と当接するように配置した場合に比べて、戸袋の構成（例えば、戸袋妻板の側面形状等）に起因して戸袋側枠材を安定して設置できなくなることを回避でき、戸袋側枠材の設置性を維持することが可能となる。
【００１５】
請求項３に記載の開閉装置の枠体によれば、戸袋側補強材が、戸袋側枠材の上側部分に位置する第１戸袋側補強材と、戸袋側枠材の下側部分に位置する第２戸袋側補強材と、戸袋側枠材の上側部分と下側部分との中間部分に位置する第３戸袋側補強材と、を備えたので、戸袋側枠材の略全体を補強することができ、戸袋側枠材の耐久性を向上させることができる。
【００１６】
請求項４に記載の開閉装置の枠体によれば、第１戸袋側補強材又は第２戸袋側補強材の少なくともいずれか一方を、第３戸袋側補強材とは別体に形成したので、第１戸袋側補強材、第２戸袋側補強材、及び第３戸袋側補強材を一体形成した場合に比べて、設置状況に応じて第１戸袋側補強材、第２戸袋側補強材、又は第３戸袋側補強材の少なくともいずれか１つの形状を変更でき、戸袋側補強材の取付性を向上できる。
【００１７】
請求項５に記載の開閉装置の枠体によれば、戸袋側枠材と戸袋とを接続するための接続手段を備えたので、戸袋側枠材と戸袋とを接続でき、戸袋側枠材の耐久性を一層向上させることができる。
【００１８】
請求項６に記載の開閉装置の枠体によれば、第１接続手段又は第２接続手段のいずれか一方を、戸袋側枠材及び戸袋に選択的に接続したので、設置状況に応じて第１接続手段又は第２接続手段のいずれか一方を戸袋側枠材及び戸袋に選択的に接続でき、接続手段の設置性を向上させることができる。
【００１９】
請求項７に記載の開閉装置の枠体によれば、戸袋側枠材を、支持手段とは別体に形成したので、支持手段及び戸袋側枠材を一体形成した場合に比べて、支持手段及び戸袋側枠材を設置する上で制約を受けることを回避できると共に、戸袋側枠材のサイズが過大になることを回避できる。よって、支持手段及び戸袋側枠材の設置性を維持しながら、戸袋側枠材のコンパクト化を図ることができる。
【図面の簡単な説明】
【００２０】
【図１】本発明の実施の形態に係る第１開閉装置及び第２開閉装置を示す正面図である。
【図２】図１のＡ−Ａ矢視断面図である。
【図３】図１のＢ−Ｂ矢視断面図である。
【図４】図３の戸袋側枠材の周辺領域の拡大図である。
【図５】図１のＣ−Ｃ矢視断面図である。
【図６】戸袋側枠材及び戸袋側補強材を示す図であり、（ａ）は正面図、（ｂ）は平面図、（ｃ）は右側面図である。
【図７】戸袋側枠材を示す図であり、（ａ）は正面図、（ｂ）は平面図、（ｃ）は右側面図である。
【図８】第１戸袋側補強材を示す図であり、（ａ）は正面図、（ｂ）は平面図、（ｃ）は右側面図である。
【図９】第２戸袋側補強材を示す図であり、（ａ）は正面図、（ｂ）は平面図、（ｃ）は右側面図である。
【図１０】第３戸袋側補強材を示す図であり、（ａ）は正面図、（ｂ）は平面図、（ｃ）は右側面図である。
【図１１】接続部を示す図であり、（ａ）は正面図、（ｂ）は平面図、（ｃ）は右側面図である。
【図１２】図３の戸袋側隙間及び従動側取付板の周辺領域の拡大図であり、（ａ）は正面図、（ｂ）はＤ−Ｄ矢視断面図である。
【図１３】従動側取付板を示す図であり、（ａ）は正面図、（ｂ）左側面図である。
【図１４】図１２（ａ）の第１境界部の周辺領域の拡大図である。
【図１５】図１２（ａ）の第２境界部の周辺領域の拡大図である。
【図１６】第１開閉装置及び第２開閉装置の変形例を示す図であり、図２に対応する領域を示す図である。
【図１７】戸袋側枠材の変形例を示す図であり、図４に対応する領域を示す図である。
【図１８】接続部の変形例を示す図であり、（ａ）は正面図、（ｂ）は平面図、（ｃ）は右側面図である。
【発明を実施するための形態】
【００２１】
以下に添付図面を参照して、この発明に係る開閉装置の枠体の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、建物の開口部の開閉を水平方向に移動することにより行う第１開閉体によって開口部を全開した状態において第１開閉体を収納する戸袋を備えた第１開閉装置に併設される第２開閉装置であり、開口部の開閉を行う第２開閉体を備えた第２開閉装置を構成する枠体に関するものである。
【００２３】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁等）において出入口や窓を設置するために形成された開口部である。また、「第１開閉装置」とは、開口部に設置される構造体であって、開口部の出入りを抑制又は制限するための構造体を意味し、例えば、戸袋付きの雨戸、戸袋付きの引き戸等を含む概念であるが、実施の形態では、戸袋付きの雨戸として説明する。また、「第２開閉装置」とは、防犯や防火のために、開口部に取り付けられる装置であり、例えば、窓シャッター等のシャッターカーテンを電動又は手動で駆動可能な全ての形式のシャッター装置を含む概念である。また、この第２開閉装置の開閉方向については、例えば上下方向、左右方向、前後方向等が該当する。以下、実施の形態では、第１開閉装置が、戸建て住宅の如き建物の壁であって窓を有する壁に設けられた左右開閉式の戸袋付き雨戸であり、第２開閉装置が、第１開閉装置に対して後付けで併設される上下開閉式且つ電動式の窓シャッターである場合について説明する。
【００２４】
〔ＩＩ〕実施の形態の具体的内容
次に、実施の形態の具体的内容について説明する。
【００２５】
（構成−第１開閉装置）
最初に、実施の形態に係る第２開閉装置に併設される第１開閉装置の構成について説明する。以下の説明では、図１のＸ方向を第１開閉装置の左右方向又は見付け方向（−Ｘ方向を第１開閉装置の左方向、＋Ｘ方向を第１開閉装置の右方向）、図２のＹ方向を第１開閉装置の前後方向又は見込み方向（＋Ｙ方向を第１開閉装置の前方向（建物の屋外側の方向）、−Ｙ方向を第１開閉装置の後方向（建物の屋内側の方向））、図１のＺ方向を第１開閉装置の上下方向又は見付け方向（＋Ｚ方向を第１開閉装置の上方向、−Ｚ方向を第１開閉装置の下方向）と称する。図１、図２に示すように、この第１開閉装置１は、例えば公知の雨戸を用いて構成され、概略的に、第１枠体１０、扉体２０、及び戸袋３０を備えており、第１枠体１０の内部において扉体２０を左右方向（水平方向）にスライド移動させることで、扉体２０によって建物の壁２の開口部３を開閉することができる。ただし、第１開閉装置１に関する特記しない構成については、従来と同様であるものとして説明を省略する。なお、第１開閉装置１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２６】
ここで、図１、図２に示すように、開口部３には窓が設けられており、この開閉式の窓の建物の屋外側に扉体２０が設けられている。このため、扉体２０は、開口部３を、当該開口部３の開口面内ではなく当該開口部３の開口面よりも建物の屋外側において開閉することになるが、このような開閉であっても、開口部３を介した人や物の出入りを制限するための開閉を行う点において同様であるため、「開口部３を開閉する」ものとして説明する（なお、後述する第２開閉装置１００のシャッターカーテン１３０の開閉についても同様とする）。また、窓には公知の開閉式のサッシ窓等を採用することができるので、その説明は省略する。
【００２７】
（構成−第１開閉装置−第１枠体）
第１枠体１０は、開口部３の周縁に設置されるものである。この第１枠体１０は、窓よりも建物の屋外側に設けられており、図２、図３に示すように、開口部３の上方側に位置する上側横枠１１（上側枠材）と、開口部３の下方側に位置する下側横枠１２（下側枠材）と、開口部３の戸袋３０側とは反対側（図３では、開口部３の右側）に位置する右側縦枠１３とを備えている。また、これら上側横枠１１、下側横枠１２、及び右側縦枠１３は、建物の躯体のうち開口部３の周縁部分であって第１枠体１０を支持可能な周縁部分（例えば、躯体の柱、躯体の壁、躯体の壁の下地等）に対して公知の方法でそれぞれ直接的に固定されている。また、図２に示すように、上側横枠１１の下面及び下側横枠１２の上面の各々には、扉体２０を左右方向（水平方向）にスライド移動させるためのレール部１４が設けられている。また、図２に示すように、上側横枠１１と建物の壁２との境界部及び下側横枠１２と建物の壁２との境界部には、上記境界部から水が浸入することを防止するための第１枠体側止水部材１５（一例として、コーキング材又は水密材）が設けられている。
【００２８】
（構成−第１開閉装置−扉体）
扉体２０は、開口部３を開閉するための第１開閉体である。この扉体２０は、例えば公知の雨戸用扉パネル（一例として、戸車付きの扉パネル）等を用いて構成されており、第１枠体１０から戸袋３０に至る範囲にわたってスライド移動可能に設けられている。
【００２９】
（構成−第１開閉装置−戸袋）
図１に戻り、戸袋３０は、扉体２０によって開口部３を全開した状態において扉体２０を収納するものである。図１から図４に示すように、この戸袋３０は、第１枠体１０に隣接する位置（図１では、第１枠体１０よりも左側の位置）に設置されており、戸袋枠体３１、戸袋鏡板３２、及び戸袋妻板３３を備えている。
【００３０】
このうち、戸袋枠体３１は、戸袋３０の基本構造体であり、図１、図２に示すように、上側に位置する上側横枠材３１ａと、下側に位置する下側横枠材３１ｂと、戸先側（図１では、開口部３の右側）に位置する戸先側縦枠材３１ｃと、戸尻側（図１では、開口部３の左側）に位置する戸尻側縦枠材３１ｄとを備えている。また、戸袋鏡板３２は、戸袋枠体３１の前面を外側から覆うためのものであり、例えば公知の戸袋用鏡板等を用いて構成され、戸袋枠体３１の前側側部を覆うように設けられている。また、戸袋妻板３３は、戸袋枠体３１の右面を外側から覆うためのものであり、例えば公知の戸袋用妻板等を用いて構成され、戸袋枠体３１の右側側部を覆うように設けられている。また、図３、図４に示すように、この戸袋妻板３３における扉体２０に対応する部分には、扉体２０を第１枠体１０から戸袋３０に至る範囲にわたってスライド移動可能にするための出入口３１ｅが設けられている。
【００３１】
（構成−第２開閉装置）
図１に戻り、次に、実施の形態に係る枠体が適用された第２開閉装置１００の構成について説明する。この第２開閉装置１００は、概略的に、第２枠体１１０、シャッター収納部１２０、シャッターカーテン１３０、巻取軸１４０、開閉機１５０、及び制御ユニット（図示省略）を備えている。
【００３２】
（構成−第２開閉装置−第２枠体）
第２枠体１１０は、開口部３の周縁に設置される枠体である。この第２枠体１１０は、複数のアルミニウム製（又は鋼製（一例として、スチール製、ステンレス製等））の枠材を相互に組み合わせることによって構成されており、図１、図２に示すように、内まぐさ１１１、水切り板１１３、戸袋側枠材１１４、及び戸袋反対側枠材１１５を含んで構成されている。
【００３３】
このうち、内まぐさ１１１は、開口部３の上方側に位置する上側枠材であり、図１、図２に示すように、第１枠体１０の上側横枠１１よりも上方側であって、シャッターカーテン１３０よりも建物の屋内側に設けられている。また、水切り板１１３は、開口部３の下方側に位置する下側枠材であり、図１、図２に示すように、第１枠体１０の下側横枠１２よりも下方側に設けられている。また、戸袋側枠材１１４は、開口部３の戸袋３０側（図１では、左方側）に位置する枠材であり、図１から図４に示すように、戸袋３０の戸袋妻板３３の近傍位置（図１では、戸袋妻板３３ｃよりも右方側）に設けられている。また、戸袋反対側枠材１１５は、開口部３の戸袋３０側とは反対側（図１では、右方側）に位置する枠材であり、図１から図３に示すように、第１枠体１０の右側縦枠１３よりも右方側に設けられている。なお、内まぐさ１１１、水切り板１１３、戸袋側枠材１１４、及び戸袋反対側枠材１１５の構成の詳細については、後述する。
【００３４】
また、図２に示すように、内まぐさ１１１と後述するシャッター収納部１２０のケース板１２１における下面の建物の屋内側端部との相互間には、開口部３の左右方向全長にわたるまぐさ開口１１６が形成されており、このまぐさ開口１１６を介してシャッターカーテン１３０の出し入れが行われる。また、図２から図４に示すように、戸袋側枠材１１４には、戸袋側補強材１６０が設けられている。戸袋側補強材１６０は、戸袋側枠材１１４を補強するためのものであり、戸袋側枠材１１４の上下方向の略全長にわたって形成されている。なお、この戸袋側補強材１６０の構成の詳細については、後述する。
【００３５】
また、図１から図４に示すように、戸袋側枠材１１４及び戸袋反対側枠材１１５の各々には、ガイドレール１７０が設けられている。ガイドレール１７０は、シャッターカーテン１３０を開口部３の開閉方向（すなわち、上下方向）に沿って移動するように案内するものである。このガイドレール１７０は、例えば、アルミニウム製（又は鋼製）の長尺状体であり、戸袋側枠材１１４又は戸袋反対側枠材１１５の上下方向の略全長にわたって形成されている。そして、このガイドレール１７０は、戸袋側枠材１１４又は戸袋反対側枠材１１５の前面において、当該ガイドレール１７０の上下方向（長手方向）が戸袋側枠材１１４又は戸袋反対側枠材１１５の上下方向（長手方向）に略沿う方向で配置され、戸袋側枠材１１４又は戸袋反対側枠材１１５に対して固定具等によって固定されている。また、図２に示すように、ガイドレール１７０の下端部には、当該端部を保護するためのレールキャップ１７０ａが設けられている。なお、このガイドレール１７０の構成の詳細については、後述する。
【００３６】
（構成−第２開閉装置−シャッター収納部）
図１に戻り、シャッター収納部１２０は、シャッターの各部を収納するためのシャッター収納手段である。このシャッター収納部１２０は、鋼製の中空状体であり、図１、図２に示すように、建物の壁２における開口部３の上端部よりも上方に設置されている。また、このシャッター収納部１２０の内部には、巻取軸１４０、開閉機１５０、及び制御ユニットが収容されていると共に、巻取軸１４０にてシャッターカーテン１３０が巻上げられた状態では、シャッターカーテン１３０の少なくとも一部も、シャッター収納部１２０の内部に収容される。なお、シャッター収納部１２０の構成の詳細については後述する。
【００３７】
（構成−第２開閉装置−シャッターカーテン）
シャッターカーテン１３０は、開口部３の開閉を垂直方向に移動することにより行う第２開閉体であり、具体的には、巻取軸１４０によって開閉移動されることで、開口部３を全開した状態（以下、「全開状態」と称する）、開口部３を全閉した状態（以下、「全閉状態」と称する）、あるいは全閉状態とも全開状態とも異なる状態（以下、「半開状態」と称する）にする。このシャッターカーテン１３０は、図１、図２に示すように、複数のスラット１３１ａを備えており、各スラット１３１ａの上下の両端部に形成された嵌合部１３１ｂを介して複数のスラット１３１ａが相互に嵌合接続されている。また、このシャッターカーテン１３０の左右方向の両端部の各々は、ガイドレール１７０のコ字状の開放端部を介してガイドレール１７０の内部に挿入されており、上下方向においてはガイドレール１７０の内部をスライド移動可能であり、かつ、前後方向においてはガイドレール１７０の外部に脱落しないように規制されている。また、図１から図４に示すように、このシャッターカーテン１３０の下端部には、座板１３２が接続されており、この座板１３２は、全閉状態において水切り板１１３と近接し、又は接触するように配置されている。
【００３８】
（構成−第２開閉装置−巻取軸）
図２に戻り、巻取軸１４０は、シャッターカーテン１３０を開閉移動させるためのものである。この巻取軸１４０は、例えば公知の巻取軸等を用いて構成され、左右方向に沿って設置されている。具体的には、図２、図５に示すように、巻取軸１４０の右端部が駆動側軸受部１４１を介して後述する駆動側軸受板１２２に対して回転可能に支持されていると共に、巻取軸１４０の左端部が従動側軸受部１４２を介して後述する従動側軸受板１２５に対して回転可能に支持されている。また、この巻取軸１４０にはシャッターカーテン１３０の上端に連結された連結スラット（図示省略）が接続されており、この巻取軸１４０を回転させることで、連結スラットを介してシャッターカーテン１３０を開閉移動させることができる。
【００３９】
（構成−第２開閉装置−開閉機）
開閉機１５０は、シャッターカーテン１３０を開閉移動させるために、巻取軸１４０を回転駆動させるものであり、操作スイッチやリモコン（いずれも図示せず）を介して操作される。
【００４０】
（構成−第２開閉装置−制御ユニット）
制御ユニットは、第２開閉装置１００の各部を相互に連動させるものである。この制御ユニットは、開閉機１５０と配線（図示省略）を介して電気的に接続されており、通信部、電源部、制御部、及び記憶部を備えている（いずれも図示省略）。通信部は、操作スイッチやリモコン、又は外部装置との間で通信するための通信手段である。電源部は、図示しない商用電源又は電池（例えば、バッテリ等）から供給された電力を、制御ユニットの各部に供給する電源手段である。制御部は、制御ユニットの各部を制御する制御手段である。記憶部は、制御ユニットの動作に必要なプログラム及び各種のデータを記憶する記憶手段である。
【００４１】
（構成−第２開閉装置−内まぐさの構成の詳細）
図２に戻り、次に、第２枠体１１０の内まぐさ１１１の構成の詳細について説明する。実施の形態では、図２に示すように、内まぐさ１１１は、内まぐさ本体１１１ａ及び立上片１１１ｂを備えている。このうち、内まぐさ本体１１１ａは、内まぐさ１１１の基本構造体である。この内まぐさ本体１１１ａは、戸袋側枠材１１４から戸袋反対側枠材１１５に至る範囲にわたって形成されており、図２に示すように、建物の壁２の開口部３の周縁上方から建物の屋外側に向けて張り出すように設けられている。また、立上片１１１ｂは、建物の躯体のうち開口部３の周縁部分であって第２枠体１１０を支持可能な周縁部分（例えば、躯体の柱、躯体の壁、躯体の壁の下地、躯体の天井等）に対して内まぐさ本体１１１ａを固定するための側片である。この立上片１１１ｂは、図２に示すように、内まぐさ本体１１１ａにおける建物の屋内側の端部から上方に向けて張り出すように形成されており、上記第２枠体１１０を支持可能な周縁部分に対して固定具等によって直接的に固定されている。
【００４２】
（構成−水切り板の構成の詳細）
次に、第２枠体１１０の水切り板１１３の構成の詳細について説明する。実施の形態では、図２に示すように、水切り板１１３は、水切り板本体１１３ａ及び立上片１１３ｂを備えている。このうち、水切り板本体１１３ａは、水切り板１１３の基本構造体である。この水切り板本体１１３ａは、戸袋側枠材１１４から戸袋反対側枠材１１５に至る範囲にわたって形成されており、図２に示すように、建物の壁２の開口部３の周縁下方から建物の屋外側に向けて張り出すように設けられている。また、図２に示すように、この水切り板本体１１３ａにおける建物の屋外側の端部（前端部）には、全閉状態において座板１３２を建物の屋外側から覆う溝部１１３ｄが形成されている。また、立上片１１３ｂは、建物の屋内側に水が侵入することを抑制すると共に、且つ上記第２枠体１１０を支持可能な周縁部分に対して水切り板本体１１３ａを固定するための側片であり、図２に示すように、水切り板本体１１３ａにおける建物の屋内側の端部（後端部）から上方に向けて張り出すように形成されており、上記第２枠体１１０を支持可能な周縁部分に対して固定具等によって直接的に固定されている。
【００４３】
（構成−第２開閉装置−戸袋側枠材の構成の詳細）
次に、第２枠体１１０の戸袋側枠材１１４の構成の詳細について説明する。ただし、この戸袋側枠材１１４は、特記する場合を除いて、任意の形状、方法、及び材質で製造することができる。実施の形態では、図２から図４、図６、図７に示すように、戸袋側枠材１１４は、枠材本体１１４ａ、第１枠材側接続片１１４ｂ、及び第２枠材側接続片１１４ｃを備えている。
【００４４】
枠材本体１１４ａは、戸袋側枠材１１４の基本構造体であり、内まぐさ１１１又は水切り板１１３の戸袋３０側の端部（図３の左端部）において、建物の壁２の開口部３の周縁から建物の屋外側に向けて張り出すように設けられている。また、図７（ｃ）に示すように、枠材本体１１４ａにおける扉体２０に対応する部分には、第１開閉装置１の扉体２０を第１枠体１０から戸袋３０に至る範囲にわたってスライド移動可能にするための切欠部１１４ｄが設けられている。
【００４５】
第１枠材側接続片１１４ｂは、戸袋側枠材１１４とガイドレール１７０とを接続するための側片であり、図３、図４、図６、図７に示すように、枠材本体１１４ａ（図３では、枠材本体１１４ａにおける建物の屋外側の端部（前端部））から建物の屋外側に向けて張り出すように設けられている。また、この第１枠材側接続片１１４ｂの先端部及びその近傍部分は、左右方向の内側に向けて窪んだ凹状に形成されている。
【００４６】
第２枠材側接続片１１４ｃは、戸袋側枠材１１４とガイドレール１７０とを接続するための側片であり、図３、図４に示すように、枠材本体１１４ａ（図３では、枠材本体１１４ａの部分のうち建物の屋外側の端部（前端部）よりも建物の屋内側に位置する部分）から左右方向の内側に向けて張り出すように設けられている。また、図３、図４、図６、図７に示すように、この第２枠材側接続片１１４ｃは、枠材本体１１４ａよりも左右方向の内側に位置する本体片１１４ｅであって、後述する第２ガイドレール側接続片１７３における左右方向の内側の側面と対向する部分に設けられた本体片１１４ｅと、本体片１１４ｅと枠材本体１１４ａとを連結するための連結片１１４ｆとを備えている。
【００４７】
（構成−第２開閉装置−戸袋反対側枠材の構成の詳細）
図３に戻り、次に、第２枠体１１０の戸袋反対側枠材１１５の構成の詳細について説明する。実施の形態では、図３に示すように、戸袋反対側枠材１１５は、枠材本体１１５ａ、第１枠材側接続片１１５ｂ、第２枠材側接続片１１５ｃ、及び枠材側取付片１１５ｄを備えている。このうち、枠材本体１１５ａ、第１枠材側接続片１１５ｂ、及び第２枠材側接続片１１５ｃは、戸袋側枠材１１４の第１枠材側接続片１１４ｂ及び第２枠材側接続片１１４ｃと略同一に構成されているので、以下では、その説明を省略する。また、枠材側取付片１１５ｄは、上記第２枠体１１０を支持可能な周縁部分に対して戸袋反対側枠材１１５を取り付けるための側片である。この枠材側取付片１１５ｄは、図３に示すように、枠材本体１１５ａにおける建物の屋内側の端部（前端部）から左右方向の外側に向けて張り出すように設けられており、上記第２枠体１１０を支持可能な周縁部分に対して枠材側取付片１１５ｄに形成された取付孔（図示省略）を介して固定具１１５ｅによって固定されている。
【００４８】
（構成−第２開閉装置−戸袋側補強材の構成の詳細）
次に、第２枠体１１０の戸袋側補強材１６０の構成の詳細について説明する。ただし、この戸袋側補強材１６０は、特記する場合を除いて、任意の形状、方法、及び材質で製造することができる。戸袋側補強材１６０は、図３、図４、図６、図８から図１０に示すように、第１戸袋側補強材１６１、第２戸袋側補強材１６２、及び第３戸袋側補強材１６３を備えている。
【００４９】
（構成−第２開閉装置−戸袋側補強材の構成の詳細−第１戸袋側補強材）
第１戸袋側補強材１６１は、戸袋側枠材１１４の上側部分に位置するものであり、図６、図８に示すように、第１戸袋側補強材本体１６１ａ及び第１取付部１６１ｂを備えている。
【００５０】
第１戸袋側補強材本体１６１ａは、第１戸袋側補強材１６１の基本構造体であり、枠材本体１１４ａの内側側面と対応する第１補強材側片１６１ｃと、第２枠材側接続片１１４ｃの連結片１１４ｆの内側側面と対応する第２補強材側片１６１ｄとを備えている。また、図８（ｃ）に示すように、第１補強材側片１６１ｃには、第１切欠部１６１ｅが設けられている。この第１切欠部１６１ｅは、第１戸袋側補強材１６１と第１枠体１０の上側横枠１１との接触を回避するためのものであり、第１補強材側片１６１ｃにおける上側横枠１１と対応する部分に形成されている。
【００５１】
第１取付部１６１ｂは、当該第１取付部１６１ｂに対して後述する第１戸袋側止水部材２１０の水密材２１１を取り付けることにより、後述する第１境界部２０１に位置させることが可能な取付手段である。この第１取付部１６１ｂは、図６、図８に示すように、第１補強材側片１６１ｃにおける第１切欠部１６１ｅの上端に対応する部分から左右方向の外側に向けて張り出されるように形成されていると共に、第１補強材側片１６１ｃの下端に対応する部分の全長にわたって形成されている。
【００５２】
また、この第１戸袋側補強材１６１を戸袋側枠材１１４に対して固定する方法は任意であるが、例えば、第２補強材側片１６１ｄに形成された図８（ａ）の取付孔１６１ｈ及び第２枠材側接続片１１４ｃの連結片１１４ｆに形成された図７の取付孔１１４ｎを介して第２枠材側接続片１１４ｃに対して固定具等によって固定している。
【００５３】
（構成−第２開閉装置−戸袋側補強材の構成の詳細−第２戸袋側補強材）
図３に戻り、第２戸袋側補強材１６２は、戸袋側枠材１１４の下側部分に位置するものであり、図３、図４、図６、図９に示すように、第２戸袋側補強材本体１６２ａ及び第２取付部１６２ｂを備えている。
【００５４】
第２戸袋側補強材本体１６２ａは、第２戸袋側補強材１６２の基本構造体であり、戸袋側枠材１１４の枠材本体１１４ａの内側側面と対応する第１補強材側片１６２ｃと、戸袋側枠材１１４の連結片１１４ｆの内側側面と対応する第２補強材側片１６２ｄとを備えている。また、図９（ｃ）に示すように、第１補強材側片１６２ｃには、第２切欠部１６２ｅが設けられている。この第２切欠部１６２ｅは、第２戸袋側補強材１６２と第１枠体１０の下側横枠１２との接触を回避するためのものであり、第１補強材側片１６２ｃにおける下側横枠１２と対応する部分に形成されている。
【００５５】
第２取付部１６２ｂは、当該第２取付部１６２ｂに対して後述する第３戸袋側止水部材２３０の水密材２３１を取り付けることにより、後述する第３境界部２０３に位置させることが可能な取付手段である。この第２取付部１６２ｂは、図３、図４、図６、図９に示すように、第１補強材側片１６２ｃにおける第２切欠部１６２ｅの下端に対応する部分から左右方向の外側に向けて張り出すように形成されていると共に、第１補強材側片１６２ｃの上端に対応する部分の全長にわたって形成されている。
【００５６】
また、この第２戸袋側補強材１６２を戸袋側枠材１１４に対して固定する方法は任意であるが、例えば、図３、図４、図６に示すように、第２補強材側片１６２ｄに形成された図９（ａ）の取付孔１６２ｇ及び第２枠材側接続片１１４ｃの連結片１１４ｆに形成された図７（ｃ）の取付孔１１４ｈを介して第２枠材側接続片１１４ｃに対して固定具等によって固定している。
【００５７】
（構成−第２開閉装置−戸袋側補強材の構成の詳細−第３戸袋側補強材）
図３に戻り、第３戸袋側補強材１６３は、戸袋側枠材１１４の上側部分と下側部分との中間部分に位置するものである。この第３戸袋側補強材１６３は、図３、図４、図６、図１０に示すように、Ｘ−Ｙ平面に沿った断面形状が建物の屋外側に向けて開放された略コ字状となるように形成された板状体であり、枠材本体１１４ａの上下方向の略全長にわたって形成されており、具体的には、第１補強材側片１６３ａ、第２補強材側片１６３ｂ、及び第３補強材側片１６３ｃを備えている。
【００５８】
このうち、第１補強材側片１６３ａは、戸袋３０側に位置する側片である。また、第２補強材側片１６３ｂは、第１補強材側片１６３ａよりも戸袋３０側とは反対側に位置する側片である。また、第３補強材側片１６３ｃは、第１補強材側片１６３ａと第２補強材側片１６３ｂとを接続する側片であり、且つ当該第１補強材側片１６３ａに対して後述する第２戸袋側止水部材２２０の水密材２２１を取り付けることにより、後述する第２境界部２０２に位置させることが可能な取付手段であり、図３、図４に示すように、第２枠材側接続片１１４ｃの連結片１１４ｆと当接しないように配置されている。
【００５９】
また、図１０（ａ）に示すように、第１補強材側片１６３ａ及び第２補強材側片１６３ｂには、第３上側切欠部１６３ｄ及び第３下側切欠部１６３ｅが設けられている。この第３上側切欠部１６３ｄは、第１戸袋側補強材１６１の第１補強材側片１６１ｃの一部及び第２補強材側片１６１ｄを第３戸袋側補強材１６３の内側に挿通するための切欠部であり、第３戸袋側補強材１６３における第３補強材側片１６３ｃに対応する部分に形成されている。また、第３下側切欠部１６３ｅは、第２戸袋側補強材１６２の第１補強材側片１６２ｃの一部及び第２補強材側片１６２ｄを第３戸袋側補強材１６３の内側に挿通するための切欠部であり、第３戸袋側補強材１６３における第３補強材側片１６３ｃに対応する部分に形成されている。
【００６０】
また、この第３戸袋側補強材１６３を戸袋側枠材１１４に対して固定する方法は任意であるが、例えば、図６に示すように、第１補強材側片１６３ａに形成された取付孔（図示省略）及び戸袋側枠材１１４の第１枠材側接続片１１４ｂに形成された取付孔（図示省略）を介して第１枠材側接続片１１４ｂに対して固定具等によって固定する。
【００６１】
また、このような戸袋側補強材１６０の形成方法については任意であるが、実施の形態では、第１戸袋側補強材１６１又は第２戸袋側補強材１６２の少なくともいずれか一方を、第３戸袋側補強材１６３とは別体に形成している。具体的には、複数のスチール材又はステンレス材を曲げ成形することにより、第１戸袋側補強材１６１、第２戸袋側補強材１６２、及び第３戸袋側補強材１６３をそれぞれ別体に形成している。これにより、第１戸袋側補強材１６１、第２戸袋側補強材１６２、及び第３戸袋側補強材１６３を一体形成した場合に比べて、設置状況に応じて第１戸袋側補強材１６１、第２戸袋側補強材１６２、又は第３戸袋側補強材１６３の少なくともいずれか１つの形状を変更でき、戸袋側補強材１６０の取付性を向上できる。
【００６２】
以上のような戸袋側補強材１６０により、戸袋側枠材１１４の略全体を補強することができ、戸袋側枠材１１４の耐久性を向上させることができる。また、戸袋側補強材１６０が、第１取付部１６１ｂ、第２取付部１６２ｂ、及び第１補強材側片１６３ａを備えているので、後述する第１戸袋側止水部材２１０、後述する第２戸袋側止水部材２２０、及び後述する第３戸袋側止水部材２３０を現場で設置する手間を省略でき、これら止水部材の設置性を向上させることができる。
【００６３】
（構成−第２開閉装置−ガイドレールの構成の詳細）
図２に戻り、次に、第２枠体１１０のガイドレール１７０の構成の詳細について説明する。実施の形態では、図２から図４に示すように、ガイドレール１７０は、ガイドレール本体１７１、第１ガイドレール側接続片１７２、第２ガイドレール側接続片１７３、及び防振部材１７４を備えている。
【００６４】
このうち、ガイドレール本体１７１は、シャッターカーテン１３０の端部（図３では、シャッターカーテン１３０の左端部又は右端部）を収容するものであり、図３、図４に示すように、本体枠部１７１ａ及び外枠部１７１ｂを備えている。ここで、本体枠部１７１ａは、ガイドレール本体１７１の基本構造体であり、Ｘ−Ｙ平面に沿った断面形状が略コ字状である板状体にて形成されている。また、外枠部１７１ｂは、本体枠部１７１ａよりも左右方向の外側に位置する枠部であり、図３、図４に示すように、本体枠部１７１ａから左右方向の外側に向けて張り出された第１外枠側片１７１ｃと、本体枠部１７１ａのうち第１外枠側片１７１ｃよりも建物の屋内側の部分（後側部分）から左右方向の外側に向けて張り出され、且つ第１外枠側片１７１ｃと接続されている第２外枠側片１７１ｄとを備えている。
【００６５】
また、第１ガイドレール側接続片１７２は、戸袋側枠材１１４又は戸袋反対側枠材１１５とガイドレール１７０とを接続するための側片である。この第１ガイドレール側接続片１７２は、図３、図４に示すように、ガイドレール本体１７１から建物の屋内側に向けて張り出すように設けられており、第１枠材側接続片１１４ｂの凹状部分に対して係合されている。また、第２ガイドレール側接続片１７３は、戸袋側枠材１１４又は戸袋反対側枠材１１５とガイドレール１７０とを接続するための側片である。この第２ガイドレール側接続片１７３は、図３、図４に示すように、第１ガイドレール側接続片１７２よりも左右方向の内側に設け、且つガイドレール本体１７１から建物の屋内側に向けて張り出すように設けられている。そして、この第２ガイドレール側接続片１７３は、第２ガイドレール側接続片１７３に形成された取付孔（図示省略）、第２枠材側接続片１１４ｃの本体片１１４ｅに形成された図７（ｃ）の取付孔１１４ｋ、及び第３戸袋側補強材１６３の第２補強材側片１６３ｂに形成された図１０の取付孔１６３ｇを介して第３戸袋側補強材１６３に対して固定具によって接続されている。また、防振部材１７４は、シャッターカーテン１３０の揺れを抑制するための部材であり、例えば防振ゴム等の公知の防振部材等を用いて構成されており、図３、図４に示すように、ガイドレール１７０の開放側の端部に設けられている。
【００６６】
（構成−第２開閉装置−シャッター収納部の構成の詳細）
図２に戻り、次に、シャッター収納部１２０の構成の詳細について説明する。実施の形態では、図２、図５、図１２に示すように、シャッター収納部１２０は、ケース板１２１、駆動側軸受板１２２、駆動側取付板１２３、駆動側サイドキャップ１２４、従動側軸受板１２５、従動側取付板１２６、及び従動側サイドキャップ１２７を備えている。
【００６７】
このうち、ケース板１２１は、シャッター収納部１２０の収容空間のうち上方側の部分及び建物の屋外側の部分（前側部分）を覆うための板材であり、図２、図５に示すように、シャッター収納部１２０の左右方向の略全長にわたって設けられている。また、図１２に示すように、このケース板１２１の上端部と建物の壁２との境界部には、当該境界部から水が浸入することを防止するための第１収容側止水部材１２１ａ（一例として、コーキング材又は水密材）が設けられている。
【００６８】
また、駆動側軸受板１２２は、収容空間のうち右方側の部分を覆うための板材であり、図５に示すように、駆動側取付板１２３に対して固定具又は係止構造等によって接続されている。また、駆動側取付板１２３は、建物の躯体のうちシャッター収納部１２０を支持可能な部分（具体的には、シャッター収納部１２０を支持可能な柱部や壁２等）に対して駆動側軸受板１２２を取り付けるための板材である。図５に示すように、この駆動側取付板１２３は、駆動側軸受板１２２の近傍位置に設けられており、上記シャッター収納部１２０を支持可能な部分に対して固定具１２４ｂによって接続されている。また、駆動側サイドキャップ１２４は、駆動側軸受板１２２を保護するためのキャップであり、図５に示すように、駆動側軸受板１２２の略全体を外側から覆うように設けられており、駆動側軸受板１２２に形成された係止部（図示省略）によって係止されていると共に、上記シャッター収納部１２０を支持可能な部分に対して駆動側取付板１２３に形成された取付孔（図示省略）を介して固定具等によって接続されている。また、図５に示すように、この駆動側サイドキャップ１２４と駆動側取付板１２３との境界部には、当該境界部から水が浸入することを防止するための第２収容側止水部材１２４ａ（一例として、コーキング材又は水密材）が設けられている。
【００６９】
また、従動側軸受板１２５は、収容空間のうち左方側の部分を覆うための板材であり、図５に示すように、従動側取付板１２６に対して後述する従動側取付板１２６の係止部１２６ａ等によって係止されていると共に、後述する従動側取付板１２６に形成された図１３の取付孔１２６ｄを介して固定具によって接続されている。
【００７０】
また、従動側取付板１２６は、シャッター収納部１２０を支持する支持手段であり、上記シャッター収納部１２０を支持可能な部分に対して従動側軸受板１２５を取り付けるための板材である。図２、図５、図１２、図１３に示すように、この従動側取付板１２６は、従動側軸受板１２５の近傍位置に設けられており、上記シャッター収納部１２０を支持可能な部分に対して従動側取付板１２６に形成された図１３の取付孔１２６ｃを介して固定具１２６ｆによって接続されている。また、図２、図１３に示すように、この従動側取付板１２６には、従動側軸受板１２５を従動側取付板１２６に対して係止するための複数の係止部１２６ａと、従動側軸受板１２５を従動側取付板１２６に対して取り付けるための取付部１２６ｂが設けられている。ここで、この従動側取付板１２６の具体的な大きさについては任意であるが、上記シャッター収納部１２０を支持可能な部分に対して従動側取付板１２６を確実に固定するために、実施の形態では、図２、図５、図１２、図１３に示すように、従動側取付板１２６の左右方向の長さについては、従動側取付板１２６の少なくとも一部が上記シャッター収納部１２０を支持可能な部分と対向することが可能な長さに設定されている。また、この従動側取付板１２６の形成方法については任意であるが、実施の形態では、従動側取付板１２６を戸袋側枠材１１４とは別体に形成することにより、従動側取付板１２６及び戸袋側枠材１１４を一体形成した場合に比べて、従動側取付板１２６及び戸袋側枠材１１４を設置する上で制約を受けることを回避できると共に、戸袋側枠材１１４のサイズが過大になることを回避できる。よって、従動側取付板１２６及び戸袋側枠材１１４の設置性を維持しながら、戸袋側枠材１１４のコンパクト化を図ることができる。
【００７１】
また、従動側サイドキャップ１２７は、従動側軸受板１２５を保護するためのキャップであり、図５に示すように、従動側軸受板１２５の略全体を外側から覆うように設けられており、従動側取付板１２６に形成された図１３の取付孔１２６ｅを介して固定具によって従動側取付板１２６に対して接続されている。また、図５、図１２に示すように、この従動側サイドキャップ１２７と従動側取付板１２６との境界部２０４（以下、「収納側境界部２０４」と称する）には、当該収納側境界部２０４から水が浸入することを防止するための第３収容側止水部材１２７ａ（一例として、コーキング材又は水密材）が設けられている。なお、第１収容側止水部材１２１ａ、第２収容側止水部材１２４ａ、及び第３収容側止水部材１２７ａの設置方法については任意であるが、例えば、第１収容側止水部材１２１ａ、第２収容側止水部材１２４ａ、及び第３収容側止水部材１２７ａを連続的に設けてもよい。
【００７２】
（構成−第２開閉装置−戸袋側枠材の取付構造）
図２に戻り、次に、戸袋側枠材１１４の取付構造について説明する。第１開閉装置１に対して第２開閉装置１００を後付けで併設される場合に、第２枠体１１０の戸袋側枠材１１４を取り付けるための取付構造の特徴については、実施の形態では、以下に示す通りとなる。
【００７３】
（構成−第２開閉装置−戸袋側枠材の取付構造−第１の特徴）
まず、取付構造の第１の特徴については、戸袋側枠材１１４は、建物の躯体（具体的には、上記第２枠体１１０を支持可能な周縁部分）に対して直接固定されることなく、建物の躯体に対して直接固定されている内まぐさ１１１又は水切り板１１３の少なくともいずれか一方に対して固定されている。具体的には、図２から図４に示すように、戸袋側枠材１１４は、建物の躯体に対して直接固定されている内まぐさ１１１及び水切り板１１３に対して直接固定されている。ここで、この戸袋側枠材１１４の具体的な固定方法については任意であるが、例えば、図２から図４に示すように、戸袋側枠材１１４を、第１戸袋側補強材１６１の第１補強材側片１６１ｃに形成された図８（ｃ）の取付孔１６１ｉ、枠材本体１１４ａに形成された図７（ｃ）の取付孔１１４ｌ、及び内まぐさ本体１１１ａに形成された図２の取付孔１１１ｃを介して内まぐさ本体１１１ａに対して固定具によって固定している。そしてさらに、第２戸袋側補強材１６２の第１補強材側片１６２ｃに形成された図９（ｃ）の取付孔１６２ｈ、枠材本体１１４ａに形成された図７（ｃ）の取付孔１１４ｍ、及び水切り板本体１１３ａに形成された図２の取付孔１１３ｃを介して水切り板本体１１３ａに対して固定具によって固定している。これにより、従来技術（戸袋側枠材１１４を建物の躯体に対して直接取り付ける技術）に比べて、開口部３の近傍に建物の躯体が存在しない場合に、戸袋側枠材１１４が外部に露出することを抑制しながら戸袋側枠材１１４を強固に固定でき、第２枠体１１０の意匠性を維持しながら戸袋側枠材１１４の設置安定化を図ることが可能となる。また、第１戸袋側補強材１６１を内まぐさ本体１１１ａに戸袋側枠材１１４と共締めできると共に、第２戸袋側補強材１６２を水切り板本体１１３ａに戸袋側枠材１１４と共締めできるので、戸袋側補強材１６０を戸袋側枠材１１４に対して一層強固に固定できる。
【００７４】
また、実施の形態では、上述したように、第１戸袋側補強材１６１及び第２戸袋側補強材１６２が戸袋側枠材１１４に対して取り付けられている場合において、図４、図６に示すように、図８の第１戸袋側補強材１６１の見込面１６１ｆと図１０の第３戸袋側補強材１６３の見込面１６３ｆのうち第３上側切欠部１６３ｄに対応する部分とを当接させると共に、図９の第２戸袋側補強材１６２の見込面１６２ｆと図１０の第３戸袋側補強材１６３の見込面１６３ｆのうち第３下側切欠部１６３ｅに対応する部分とを当接させることで、シャッターカーテン１３０の面外方向の変形に伴って戸袋側枠材１１４が開口部３の内側に向けて変形することを抑制可能としている。これにより、シャッターカーテン１３０に対する外力（一例として、風力又は人力等）が作用することでシャッターカーテン１３０が面外方向に変形した場合に、戸袋側枠材１１４が開口部３の内側（図４では、左右方向の内側）に向けて変形することを抑制でき、戸袋側枠材１１４の耐久性を一層向上させることが可能となる。
【００７５】
（構成−第２開閉装置−戸袋側枠材の取付構造−第２の特徴）
図３に戻り、次に、取付構造の第２の特徴については、図３、図４に示すように、戸袋側枠材１１４は、戸袋３０（図３では、戸袋妻板３３）と当接しないように戸袋３０に対して隙間５０（以下、「戸袋側隙間５０」と称する）を隔てて配置されている。ここで、戸袋側隙間５０の長さについては任意であるが、例えば、シャッターカーテン１３０の開閉移動に支障が生じない程度の長さに設定されている。一例として、戸袋側隙間５０のうち戸袋側枠材１１４（具体的には、戸袋側枠材１１４の建物の屋外側の部分（前側部分））と戸袋妻板３３との隙間については、約１５ｍｍ程度に設定されている。これにより、戸袋側枠材１１４を戸袋３０と当接するように配置した場合に比べて、戸袋３０の構成（例えば、戸袋妻板３３の側面形状等）に起因して戸袋側枠材１１４を安定して設置できなくなることを回避でき、戸袋側枠材１１４の設置性を維持することが可能となる。
【００７６】
（構成−第２開閉装置−戸袋側枠材の取付構造−第３の特徴）
図２に戻り、次に、取付構造の第３の特徴については、図２から図４に示すように、第２枠体１１０には、接続部１８０が設けられている。接続部１８０は、戸袋側枠材１１４（具体的には、戸袋側枠材１１４の中間部分）と戸袋３０（具体的には、戸袋妻板３３）とを接続するための接続手段（第１接続手段）である。この接続部１８０は、Ｘ−Ｙ平面に沿った断面形状が略逆Ｌ字状に形成され、且つ接続部１８０の上下方向の長さが戸袋側枠材１１４の上下方向の長さよりも短く形成された鋼製の板状体であり、具体的には、図２から図４、図１１に示すように、戸袋３０側に位置する第１接続側片１８１と、第１接続側片１８１よりも戸袋３０側とは反対側に位置する第２接続側片１８２とを備えている。
【００７７】
また、接続部１８０による戸袋側枠材１１４と戸袋３０との接続方法については任意であるが、実施の形態では、図３、図４に示すように、第１接続側片１８１を第１接続側片１８１に形成された図１１（ｃ）の取付孔１８１ａ及び戸袋妻板３３に形成された取付孔（図示省略）を介して戸袋妻板３３に対して固定具によって接続している。また、第２接続側片１８２を第２接続側片１８２に形成された図１１（ａ）の取付孔１８２ａ及び第３戸袋側補強材１６３の第３補強材側片１６３ｃに形成された図１０（ａ）の取付孔１６３ｉを介して第３戸袋側補強材１６３に対して固定具によって接続している。
【００７８】
また、接続部１８０の具体的な大きさについては任意であるが、実施の形態では、第１接続側片１８１の前後方向の長さについては、第１接続側片１８１の先端側の部分が戸袋側枠材１１４の中間部分よりも建物の屋外側に向けて突出する長さに設定されている。具体的には、図３、図４に示すように、戸袋側枠材１１４の中間部分の前後方向の長さ（より具体的には、第３補強材側片１６３ｃと第１枠材側接続片１１４ｂとの相互間の長さ）よりも長く設定されている。これにより、戸袋３０（戸袋妻板３３）の部分のうち戸袋側枠材１１４（戸袋側枠材１１４の中間部分）よりも建物の屋外側に位置する部分に接続できるので、ガイドレール１７０を戸袋側枠材１１４に取り付ける前に、第１接続側片１８１を戸袋妻板３３に対して建物の屋外側から接続することが可能となる。また、第２接続側片１８２の左右方向の長さについては、第２接続側片１８２の先端側の部分が第３戸袋側補強材１６３の第３補強材側片１６３ｃと当接可能な長さに設定されている。具体的には、図３、図４に示すように、戸袋側隙間５０の長さと第３補強材側片１６３ｃの左右方向の長さとの合計と略同一の長さに設定されている。これにより、第２接続側片１８２を第３戸袋側補強材１６３（第３補強材側片１６３ｃ）に対して確実に接続することが可能となる。
【００７９】
また、接続部１８０の設置方法については任意であるが、実施の形態では、図２に示すように、相互に間隔を隔てて垂直方向に向けて複数並設されている（例えば、５つ程度並設される）。この場合において、この間隔の設定方法については任意であるが、実施の形態では、複数の接続部１８０のうち垂直方向（上下方向）の内側に位置する接続部１８０同士の間隔を、複数の接続部１８０のうち垂直方向（上下方向）の外側に位置する接続部１８０同士の間隔よりも短く設定しており、例えば、上記垂直方向の内側に位置する接続部１８０同士の間隔＝３００ｍｍ程度に設定し、上記垂直方向の外側に位置する接続部１８０同士の間隔＝５００ｍｍ程度に設定している。これにより、接続部１８０同士の間隔を同一にした場合に比べて、外力によるシャッターカーテン１３０の変形に伴って戸袋側枠材１１４が変形しようとした場合の各接続部１８０にかかる負荷を低減でき、接続部１８０又は戸袋側枠材１１４が破断又は損傷することを回避できる。
【００８０】
このような接続部１８０により、戸袋側枠材１１４と戸袋３０とを接続でき、戸袋側枠材１１４の耐久性を一層向上させることができる。
【００８１】
また、以上のような取付構造により、第１開閉装置１（第１枠体１０）を取り外すことなく第２枠体１１０を設置でき、第２枠体１１０の施工性を向上できる。
【００８２】
（構成−第２開閉装置−第２枠体の浸水防止構造）
次に、第２枠体１１０（具体的には、戸袋側枠材１１４）の浸水防止構造について説明する。図３、図４、図１２、図１４、図１５に示すように、第１枠体１０又は戸袋３０と第２枠体１１０（戸袋側枠材１１４）との境界部２００から水が浸入することを防止するための浸水防止構造として、第１戸袋側止水部材２１０、第２戸袋側止水部材２２０、及び第３戸袋側止水部材２３０が設けられている。
【００８３】
ここで、「境界部２００」とは、部材同士の境界となる領域を意味し、例えば部材同士の相互間に隙間を有する境界部２００と、部材同士の相互間に隙間を有しない境界部２００（一例として、部材同士が当接している境界部２００）とを含む概念である。実施の形態では、図１２に示すように、この境界部２００は、第１枠体１０の上側横枠１１と戸袋側枠材１１４（具体的には、戸袋側枠材１１４の上側部分）との境界部２０１（以下、「第１境界部２０１」と称する）、戸袋妻板３３（戸袋３０における開口部３側の側部）と戸袋側枠材１１４（具体的には、戸袋側枠材１１４の中間部分）との境界部２０２（戸袋側隙間５０に対応する。以下、「第２境界部２０２」と称する。）、及び第１枠体１０の下側横枠１２と戸袋側枠材１１４（具体的には、戸袋側枠材１１４の下側部分）との境界部２０３（以下、「第３境界部２０３」と称する）を含むものとして説明する。
【００８４】
（構成−第２開閉装置−第２枠体の浸水防止構造−第１戸袋側止水部材）
第１戸袋側止水部材２１０は、第１境界部２０１から水が浸入することを防止するための止水手段であり、図１２、図１４に示すように、水密材２１１及びコーキング材２１２を備えている。
【００８５】
このうち、水密材２１１は、例えば公知の水密材等を用いて構成されており（なお、後述する第２戸袋側止水部材２２０の水密材２２１、後述する第３戸袋側止水部材２３０の水密材２３１についても同様とする）、図１２、図１４に示すように、第１境界部２０１の全長にわたって設けられている。そして、図６に示すように、第１戸袋側補強材１６１の第１取付部１６１ｂに対して接着剤等によって取り付けられている。また、コーキング材２１２は、例えば公知のコーキング材を用いて構成されており（なお、後述する第２戸袋側止水部材２２０のコーキング材２２２、後述する第３戸袋側止水部材２３０のコーキング材２３２についても同様とする）、図１２、図１４に示すように、第１境界部２０１の全長にわたって設けられていると共に、水密材２１１よりも外側（図１４では、左側）に設けられている。
【００８６】
このような第１戸袋側止水部材２１０により、止水性が高いコーキング材２１２が水密材２１１よりも外側に位置することで、第１境界部２０１から水が浸入することを確実に防止でき、第２枠体１１０の止水性を向上させることができる。また、水密材２１１をコーキング材２１２よりも内側に位置することで、コーキング材２１２を充填する際にコーキング材２１２を水密材２１１で受けることができ、コーキング材２１２を所望の位置に正確に設けることができる（なお、第２戸袋側止水部材２２０、及び第３戸袋側止水部材２３０についても同様とする）。
【００８７】
（構成−第２開閉装置−第２枠体の浸水防止構造−第２戸袋側止水部材）
図３に戻り、第２戸袋側止水部材２２０は、第２境界部２０２から水が浸入することを防止するための止水手段であり、図３、図４、図１２に示すように、水密材２２１及びコーキング材２２２を備えている。このうち、水密材２２１は、図３、図４、図１２に示すように、第２境界部２０２の全長にわたって設けられており、図６に示すように、第３戸袋側補強材１６３の第１補強材側片１６３ａに対して接着剤等によって取り付けられている。また、コーキング材２２２は、図３、図４、図１２に示すように、第２境界部２０２の全長にわたって設けられていると共に、水密材２２１よりも外側（図１２では、建物の屋外側）に設けられている。
【００８８】
（構成−第２開閉装置−第２枠体の浸水防止構造−第３戸袋側止水部材）
第３戸袋側止水部材２３０は、第３境界部２０３から水が浸入することを防止するための止水手段であり、図１２、図１５に示すように、水密材２３１及びコーキング材２３２を備えている。このうち、水密材２３１は、図１２、図１５に示すように、第３境界部２０３の全長にわたって設けられており、図６に示すように、第２戸袋側補強材１６２の第２取付部１６２ｂに対して接着剤等によって取り付けられている。また、コーキング材２３２は、図１２、図１５に示すように、第３境界部２０３の全長にわたって設けられていると共に、水密材２３１よりも外側（図１５では、左側）に設けられている。
【００８９】
また、これら第１戸袋側止水部材２１０、第２戸袋側止水部材２２０、及び第３戸袋側止水部材２３０の設置方法については任意であるが、実施の形態では、第１戸袋側止水部材２１０、第２戸袋側止水部材２２０、及び第３戸袋側止水部材２３０を、少なくとも第１境界部２０１及び収納側境界部２０４にわたって連続的に設けている。具体的には、図１２に示すように、第３収容側止水部材１２７ａ、第１戸袋側止水部材２１０、第２戸袋側止水部材２２０、及び第３戸袋側止水部材２３０を、収納側境界部２０４と、第１境界部２０１と、第２境界部２０２と、第３境界部２０３とにわたって連続的に設けている。これにより、雨水等の水が浸水しやすい収納側境界部２０４及び第１境界部２０１から水が浸入することを効果的に防止でき、特にシャッター収納部１２０の上端部から第２枠体１１０の下端部に至る範囲で水が浸入することを防止できる。よって、シャッター収納部１２０及び第２枠体１１０の止水性を向上させることができる。
【００９０】
以上のような浸水防止構造により、第１枠体１０又は戸袋３０と第２枠体１１０との相互間の境界部２００から水が浸入することを防止でき、第２枠体１１０の止水性を向上させることができる。特に、境界部２００が、第１境界部２０１、第２境界部２０２（戸袋側隙間５０）、及び第３境界部２０３を含むので、第１境界部２０１、第２境界部２０２、及び第３境界部２０３から水が浸入することを防止でき、第２枠体１１０の止水性を一層向上させることができる。
【００９１】
（第２枠体の作用について）
次に、このように構成された第２枠体１１０の作用について説明する。
【００９２】
まず、全閉状態において、外力によってシャッターカーテン１３０が建物の屋外側に引張られると、シャッターカーテン１３０が建物の屋外側に向けて変形（面外変形）する。この場合において、上記シャッターカーテン１３０の変形に伴って第２枠体１１０の戸袋側枠材１１４が変形しようとした場合に、戸袋側枠材１１４が第２枠体１１０の内まぐさ１１１及び水切り板１１３に対して固定されているので、建物の躯体からの戸袋側枠材１１４の脱落を抑制できる。また、第１戸袋側補強材１６１の見込面１６１ｆと第３戸袋側補強材１６３の見込面１６３ｆのうち第３上側切欠部１６３ｄに対応する部分とが当接され、第２戸袋側補強材１６２の見込面１６２ｆと第３戸袋側補強材１６３の見込面１６３ｆのうち第３下側切欠部１６３ｅに対応する部分とが当接されていると共に、戸袋側枠材１１４と戸袋妻板３３とが接続部１８０を介して接続されているので、戸袋側枠材１１４が開口部３の内側（図３では、左右方向の内側）に向けて変形することを抑制できるので、建物の躯体からの戸袋側枠材１１４の脱落を一層抑制できる。
【００９３】
また、全閉状態において、雨水等の水が建物の屋外側から第２枠体１１０の第１境界部２０１、第２境界部２０２、及び第３境界部２０３に浸入しようとすると、第１戸袋側止水部材２１０、第２戸袋側止水部材２２０、及び第３戸袋側止水部材２３０によって当該浸入が遮られることから、上記水が建物の屋内側に浸入することを防止できる。
【００９４】
（第２枠体の設置方法）
続いて、第２枠体１１０の設置方法について説明する。
【００９５】
まず、工場等において、第２枠体１１０の各種部材を上述した製造方法で製造する。次に、第１開閉装置１が設置されている現場において、第２枠体１１０を建物の躯体（具体的には、上記第２枠体１１０を支持可能な周縁部分）に対して固定具等によって固定する。この第２枠体１１０の固定方法については任意であるが、例えば、水切り板１１３、戸袋反対側枠材１１５、内まぐさ１１１、及び戸袋側枠材１１４を、これら部材の記載順に建物の躯体に対して順次固定した後、戸袋側枠材１１４に取り付けられている戸袋側補強材１６０と戸袋妻板３３とを接続部１８０で接続する。次いで、シャッター収納部１２０を建物の躯体（具体的には、上記シャッター収納部１２０を支持可能な部分）に対して固定具等によって固定する。このシャッター収納部１２０の固定方法については任意であるが、例えば、駆動側取付板１２３及び従動側取付板１２６、ケース板１２１、駆動側サイドキャップ１２４及び従動側サイドキャップ１２７、並びに従動側サイドキャップ１２７を、これら部材の記載順に建物の躯体に対して順次固定する。その後、第１戸袋側止水部材２１０のコーキング材２１２、第２戸袋側止水部材２２０のコーキング材２２２、及び第３戸袋側止水部材２３０のコーキング材２３２を第１境界部２０１、第２境界部２０２、及び第３境界部２０３に設ける。これにて、第２枠体１１０の設置が終了する。このような設置方法により、第１開閉装置１を取り外すことなく第２枠体１１０を設置でき、第２枠体１１０の施工性を向上できる。また、開口部３の近傍に建物の躯体が存在しない場合に、戸袋側枠材１１４が外部に露出することを抑制しながら戸袋側枠材１１４を強固に固定でき、第２枠体１１０の意匠性を維持しながら戸袋側枠材１１４の設置安定化を図ることが可能となる。
【００９６】
（実施の形態の効果）
このように実施の形態によれば、内まぐさ１１１又は水切り板１１３の少なくともいずれか一方を、建物の躯体に対して直接固定し、戸袋側枠材１１４を、建物の躯体に対して直接固定することなく、建物の躯体に対して直接固定されている内まぐさ１１１又は水切り板１１３の少なくともいずれか一方に対して固定したので、第１開閉装置１を取り外すことなく第２枠体１１０を設置でき、第２枠体１１０の施工性を向上できる。また、従来技術（戸袋側枠材１１４を建物の躯体に対して直接取り付ける技術）に比べて、開口部３の近傍に建物の躯体が存在しない場合に、戸袋側枠材１１４が外部に露出することを抑制しながら戸袋側枠材１１４を強固に固定でき、第２枠体１１０の意匠性を維持しながら戸袋側枠材１１４の設置安定化を図ることが可能となる。
【００９７】
また、戸袋側枠材１１４を、戸袋３０と当接しないように戸袋３０に対して戸袋側隙間５０を隔てて配置したので、戸袋側枠材１１４を戸袋３０と当接するように配置した場合に比べて、戸袋３０の構成（例えば、戸袋妻板３３の側面形状等）に起因して戸袋側枠材１１４を安定して設置できなくなることを回避でき、戸袋側枠材１１４の設置性を維持することが可能となる。
【００９８】
また、戸袋側補強材１６０が、戸袋側枠材１１４の上側部分に位置する第１戸袋側補強材１６１と、戸袋側枠材１１４の下側部分に位置する第２戸袋側補強材１６２と、戸袋側枠材１１４の上側部分と下側部分との中間部分に位置する第３戸袋側補強材１６３と、を備えたので、戸袋側枠材１１４の略全体を補強することができ、戸袋側枠材１１４の耐久性を向上させることができる。
【００９９】
また、第１戸袋側補強材１６１又は第２戸袋側補強材１６２の少なくともいずれか一方を、第３戸袋側補強材１６３とは別体に形成したので、第１戸袋側補強材１６１、第２戸袋側補強材１６２、及び第３戸袋側補強材１６３を一体形成した場合に比べて、設置状況に応じて第１戸袋側補強材１６１、第２戸袋側補強材１６２、又は第３戸袋側補強材１６３の少なくともいずれか１つの形状を変更でき、戸袋側補強材１６０の取付性を向上できる。
【０１００】
また、戸袋側枠材１１４と戸袋３０とを接続するための接続部１８０を備えたので、戸袋側枠材１１４と戸袋３０とを接続でき、戸袋側枠材１１４の耐久性を一層向上させることができる。
【０１０１】
また、戸袋側枠材１１４を、従動側取付板１２６とは別体に形成したので、従動側取付板１２６及び戸袋側枠材１１４を一体形成した場合に比べて、従動側取付板１２６及び戸袋側枠材１１４を設置する上で制約を受けることを回避できると共に、戸袋側枠材１１４のサイズが過大になることを回避できる。よって、従動側取付板１２６及び戸袋側枠材１１４の設置性を維持しながら、戸袋側枠材１１４のコンパクト化を図ることができる。
【０１０２】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１０３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１０４】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１０５】
（第１開閉装置について）
上記実施の形態では、第１開閉装置１が、扉体２０を備えていると説明したが、これに限らず、例えば、扉体２０を省略してもよい。
【０１０６】
（第２開閉装置について）
上記実施の形態では、第２開閉装置１００が、電動式の窓シャッターであると説明したが、これに限らず、例えば、手動式の窓シャッター、軽量シャッター、ロールスクリーン装置、防煙垂れ幕等であってもよい。
【０１０７】
また、上記実施の形態では、第２開閉装置１００の第２枠体１１０及びシャッター収納部１２０が、建物の躯体に対して直接固定されていると説明したが、これに限らない。例えば、図１６に示すように、第２枠体１１０及びシャッター収納部１２０は、建物の躯体に後付けされたふかし部材２４０に対して固定されてもよい。ふかし部材２４０は、建物の躯体を構成する部材であって、第２枠体１１０又はシャッター収納部１２０の建物の躯体に対する取り付けを補助するための部材である。このふかし部材２４０は、例えば公知のふかし部材（一例として、アルミニウム製のシャッター用ふかし部材）を用いて構成されており、図１６に示すように、第２枠体１１０又はシャッター収納部１２０と建物の躯体との相互間に設けられ、第２枠体１１０又はシャッター収納部１２０と建物の躯体に対して固定具によって接続されている。これにより、建物の躯体、雨戸、又は窓の構成に左右されずに、第２枠体１１０又はシャッター収納部１２０を建物の躯体に対して固定でき、第２枠体１１０又はシャッター収納部１２０の設置性を向上できる。
【０１０８】
（戸袋側枠材について）
上記実施の形態では、戸袋側枠材１１４を、従動側取付板１２６とは別体に形成したと説明したが、これに限らず、例えば、戸袋側枠材１１４を、従動側取付板１２６と一体形成してもよい。
【０１０９】
（戸袋側補強材について）
上記実施の形態では、戸袋側補強材１６０が、第１戸袋側補強材１６１、第２戸袋側補強材１６２、及び第３戸袋側補強材１６３を備えていると説明したが、これに限らず、例えば、第１戸袋側補強材１６１、第２戸袋側補強材１６２、又は第３戸袋側補強材１６３の少なくともいずれか１つを省略してもよい。
【０１１０】
また、上記実施の形態では、戸袋側補強材１６０が、戸袋側枠材１１４及び接続部１８０と接続されていると説明したが、これに限らず、例えば、これらの部材に加えて、建物の躯体又は戸袋３０に対して接続されてもよい。
【０１１１】
また、上記実施の形態では、第１戸袋側補強材１６１、第２戸袋側補強材１６２、又は第３戸袋側補強材１６３が、戸袋側枠材１１４を介して連結されていると説明したが、これに限らず、例えば、第１戸袋側補強材１６１、第２戸袋側補強材１６２、又は第３戸袋側補強材１６３は、戸袋側枠材１１４に接続されながら、それぞれ直接連結されてもよい。
【０１１２】
また、上記実施の形態では、第１戸袋側補強材１６１、第２戸袋側補強材１６２、又は第３戸袋側補強材１６３がそれぞれ別体に形成されていると説明したが、これに限らず、例えば、第１戸袋側補強材１６１又は第２戸袋側補強材１６２の少なくともいずれか一方を、第３戸袋側補強材１６３とは一体に形成してもよい。
【０１１３】
また、上記実施の形態では、第３戸袋側補強材１６３の第３補強材側片１６３ｃが、第２枠材側接続片１１４ｃの連結片１１４ｆと当接しないように配置されていると説明したが、これに限らず、例えば、戸袋側補強材１６０（第３戸袋側補強材１６３）の耐久性を向上させるために、第２枠材側接続片１１４ｃの連結片１１４ｆと当接するように配置されてもよい。
【０１１４】
（取付構造について）
上記実施の形態では、戸袋側枠材１１４が、建物の躯体に対して直接固定されている内まぐさ１１１及び水切り板１１３に対して直接固定されていると説明したが、これに限らず、例えば、戸袋側枠材１１４は、建物の躯体に対して直接固定されている内まぐさ１１１又は水切り板１１３のいずれか一方のみに対して直接固定されてもよい。
【０１１５】
また、上記実施の形態では、戸袋側枠材１１４が、戸袋３０と当接しないように戸袋３０に対して戸袋側隙間５０を隔てて配置していると説明したが、これに限らず、例えば、戸袋３０と当接するように配置してもよい。
【０１１６】
また、上記実施の形態では、第１戸袋側補強材１６１の見込面１６１ｆ又は第２戸袋側補強材１６２の見込面１６２ｆと第３戸袋側補強材１６３の見込面１６３ｆのうち第３上側切欠部１６３ｄ又は第３下側切欠部１６３ｅに対応する部分とを当接させると説明したが、これに限らず、例えば、第２枠体１１０の耐久性が確保できている場合には、第１戸袋側補強材１６１の見込面１６１ｆ又は第２戸袋側補強材１６２の見込面１６２ｆと第３戸袋側補強材１６３の見込面１６３ｆのうち第３上側切欠部１６３ｄ又は第３下側切欠部１６３ｅに対応する部分とを当接させなくてもよい。
【０１１７】
（接続手段について）
上記実施の形態では、第２枠体１１０に複数の接続部１８０が設けられていると説明したが、これに限らず、例えば、第２枠体１１０の耐久性が確保できている場合には、１つの接続部１８０のみが設けられてもよく、あるいは、複数の接続部１８０を省略してもよい。
【０１１８】
また、上記実施の形態では、接続部１８０が、第３戸袋側補強材１６３を介して戸袋側枠材１１４と接続されていると説明したが、これに限らず、例えば、戸袋側枠材１１４と直接的に接続されてもよい。
【０１１９】
また、上記実施の形態では、複数の接続部１８０のうち垂直方向の内側に位置する接続部１８０同士の間隔を、複数の接続部１８０のうち垂直方向の外側に位置する接続部１８０同士の間隔よりも短く設定していると説明したが、これに限らない。例えば、垂直方向の内側に位置する接続部１８０同士の間隔を、上記垂直方向の外側に位置する接続部１８０同士の間隔と同一又はそれよりも長く設定してもよい。
【０１２０】
また、上記実施の形態では、接続部１８０が、戸袋３０（戸袋妻板３３）の部分のうち戸袋側枠材１１４（戸袋側枠材１１４の中間部分）よりも建物の屋外側に位置する部分に接続可能に形成されていると説明したが、これに限らない。例えば、図１７に示すように、接続部２５０は、戸袋３０（戸袋妻板３３）の部分のうち戸袋側枠材１１４（戸袋側枠材１１４の中間部分）よりも建物の屋内側に位置する部分に接続可能に形成されてもよい。具体的には、この接続部２５０は、Ｘ−Ｙ平面に沿った断面形状が略Ｌ字状である板状体であり、図１７、図１８に示すように、戸袋３０側に位置し、且つ取付孔２５１ａを有する第１接続側片２５１と、第１接続側片２５１よりも戸袋３０側とは反対側に位置し、且つ取付孔２５２ａを有する第２接続側片２５２とを備えて構成される（すなわち、接続部２５０の第１接続側片２５１における先端側の部分が戸袋側枠材１１４の中間部分よりも建物の屋内側に向けて突出するように形成される）。このような接続部２５０により、戸袋３０（戸袋妻板３３）の部分のうち戸袋側枠材１１４（戸袋側枠材１１４の中間部分）よりも建物の屋内側に位置する部分に接続できるので、ガイドレール１７０を戸袋側枠材１１４に取り付ける前又は取り付けた後のいずれの場合にも、第１接続側片２５１を戸袋妻板３３に対して建物の屋内側から接続することが可能となる。なお、この接続部２５０は、特許請求の範囲における「第２接続手段」に対応する。
【０１２１】
また、上記実施の形態では、単に、接続部１８０を戸袋側枠材１１４（第３戸袋側補強材１６３を介して間接的に接続）及び戸袋３０（戸袋妻板３３）に接続していると説明したが、これに限らない。例えば、接続部１８０又は接続部２５０のいずれか一方を、戸袋側枠材１１４及び戸袋３０に選択的に接続してもよい。これにより、設置状況に応じて接続部１８０又は接続部２５０のいずれか一方を戸袋側枠材１１４及び戸袋３０に選択的に接続でき、接続手段の設置性を向上させることができる。
【０１２２】
また、上記実施の形態では、接続部１８０が、戸袋３０の部分のうち戸袋側枠材１１４よりも建物の屋外側に位置する部分に接続できるように形成されていると説明したが、これに限らない。例えば、接続部１８０が、戸袋３０の部分のうち戸袋側枠材１１４よりも建物の屋外側に位置する部分に接続でき、且つ戸袋３０の部分のうち戸袋側枠材１１４よりも建物の屋内側に位置する部分に接続できるように形成されてもよい。このような構成により、例えば、接続部１８０の向きを変えることにより、戸袋３０の部分のうち戸袋側枠材１１４よりも建物の屋外側に位置する部分又は戸袋側枠材１１４よりも建物の屋内側に位置する部分のいずれか一方に接続することができ、接続部１８０の接続性を向上させることができる。
【０１２３】
（取付手段について）
上記実施の形態では、戸袋側補強材１６０が、第１取付部１６１ｂ、第２取付部１６２ｂ、及び第１補強材側片１６３ａを備えていると説明したが、これに限らず、例えば、第１取付部１６１ｂ、第２取付部１６２ｂ、又は第１補強材側片１６３ａの少なくともいずれか１つを省略してもよい。
【０１２４】
また、上記実施の形態では、第１取付部１６１ｂ及び第２取付部１６２ｂが、戸袋側枠材１１４に取り付けられた戸袋側補強材１６０に設けられている（すなわち、第１取付部１６１ｂ及び第２取付部１６２ｂが、戸袋側枠材１１４に間接的に設けられている）と説明したが、これに限らず、例えば、戸袋側枠材１１４に直接的に設けられてもよい。
【０１２５】
（浸水防止構造について）
上記実施の形態では、浸水防止構造が、第１戸袋側止水部材２１０、第２戸袋側止水部材２２０、及び第３戸袋側止水部材２３０を備えていると説明したが、これに限らず、例えば、第１戸袋側止水部材２１０、第２戸袋側止水部材２２０、又は第３戸袋側止水部材２３０の少なくともいずれか１つを省略してもよい。
【０１２６】
また、上記実施の形態では、境界部２００が、第１境界部２０１、第２境界部２０２、及び第３境界部２０３を含むと説明したが、これに限らない。例えば、境界部２００は、第１境界部２０１、第２境界部２０２、又は第３境界部２０３の少なくともいずれか１つ又は２つのみを含んでもよい。あるいは、第１境界部２０１、第２境界部２０２、及び第３境界部２０３に加えて、他の境界部２００（一例として、第１枠体１０の下側横枠１２と水切り板１１３との境界部）を含んでもよい。
【０１２７】
また、上記実施の形態では、第３収容側止水部材１２７ａ、第１戸袋側止水部材２１０、第２戸袋側止水部材２２０、及び第３戸袋側止水部材２３０を、収納側境界部２０４と、第１境界部２０１と、第２境界部２０２と、第３境界部２０３とにわたって連続的に設けていると説明したが、これに限らず、例えば、収納側境界部２０４と、第１境界部２０１と、第２境界部２０２と、第３境界部２０３とにわたって非連続的に設けてもよい。
【０１２８】
また、上記実施の形態では、第１戸袋側止水部材２１０、第２戸袋側止水部材２２０、及び第３戸袋側止水部材２３０の各々が、水密材及びコーキング材を備えていると説明したが、これに限らず、例えば、水密材又はコーキング材のいずれか一方のみを備えてもよい。
【０１２９】
（付記）
付記１の開閉装置の枠体は、建物の開口部の開閉を水平方向に移動する第１開閉体によって前記開口部を全開した状態において前記第１開閉体を収納する戸袋を備えた第１開閉装置に併設される第２開閉装置であり、前記開口部の開閉を行う第２開閉体を備えた第２開閉装置を構成する枠体であって、前記枠体は、前記開口部の上方側に位置する上側枠材と、前記開口部の下方側に位置する下側枠材と、前記開口部の前記戸袋側に位置する戸袋側枠材とを備え、前記上側枠材又は前記下側枠材の少なくともいずれか一方を、前記建物の躯体に対して直接固定し、前記戸袋側枠材を、前記建物の躯体に対して直接固定することなく、前記建物の躯体に対して直接固定されている前記上側枠材又は前記下側枠材の少なくともいずれか一方に対して固定した。
【０１３０】
付記２の開閉装置の枠体は、付記１に記載の開閉装置の枠体において、前記戸袋側枠材を、前記戸袋と当接しないように前記戸袋に対して隙間を隔てて配置した。
【０１３１】
付記３の開閉装置の枠体は、付記１又は２に記載の開閉装置の枠体において、前記戸袋側枠材に取り付けられた戸袋側補強材であって、前記戸袋側枠材を補強するための戸袋側補強材を備え、前記戸袋側補強材は、前記戸袋側枠材の上側部分に位置する第１戸袋側補強材と、前記戸袋側枠材の下側部分に位置する第２戸袋側補強材と、前記戸袋側枠材の上側部分と下側部分との中間部分に位置する第３戸袋側補強材と、を備えた。
【０１３２】
付記４の開閉装置の枠体は、付記３に記載の開閉装置の枠体において、前記第１戸袋側補強材又は前記第２戸袋側補強材の少なくともいずれか一方を、前記第３戸袋側補強材とは別体に形成した。
【０１３３】
付記５の開閉装置の枠体は、付記１から４のいずれか一項に記載の開閉装置の枠体において、前記戸袋側枠材と前記戸袋とを接続するための接続手段を備えた。
【０１３４】
付記６の開閉装置の枠体は、付記５に記載の開閉装置の枠体において、前記接続手段は、前記戸袋の部分のうち前記戸袋側枠材よりも前記建物の屋外側に位置する部分に接続可能な第１接続手段と、前記戸袋の部分のうち前記戸袋側枠材よりも前記建物の屋内側に位置する部分に接続可能な第２接続手段と、を含み、前記第１接続手段又は前記第２接続手段のいずれか一方を、前記戸袋側枠材及び前記戸袋に選択的に接続した。
【０１３５】
付記７の開閉装置の枠体は、付記１から６のいずれか一項に記載の開閉装置の枠体において、前記第２開閉体を収納する収納手段と、前記収納手段を支持する支持手段とを備えた前記第２開閉装置を構成する前記枠体であって、前記戸袋側枠材を、前記支持手段とは別体に形成した。
【０１３６】
（付記の効果）
付記１に記載の開閉装置の枠体によれば、上側枠材又は下側枠材の少なくともいずれか一方を、建物の躯体に対して直接固定し、戸袋側枠材を、建物の躯体に対して直接固定することなく、建物の躯体に対して直接固定されている上側枠材又は下側枠材の少なくともいずれか一方に対して固定したので、第１開閉装置を取り外すことなく枠体を設置でき、枠体の施工性を向上できる。また、従来技術（戸袋側枠材を建物の躯体に対して直接取り付ける技術）に比べて、開口部の近傍に建物の躯体が存在しない場合に、戸袋側枠材が外部に露出することを抑制しながら戸袋側枠材を強固に固定でき、枠体の意匠性を維持しながら戸袋側枠材の設置安定化を図ることが可能となる。
【０１３７】
付記２に記載の開閉装置の枠体によれば、戸袋側枠材を、戸袋と当接しないように戸袋に対して隙間を隔てて配置したので、戸袋側枠材を戸袋と当接するように配置した場合に比べて、戸袋の構成（例えば、戸袋妻板の側面形状等）に起因して戸袋側枠材を安定して設置できなくなることを回避でき、戸袋側枠材の設置性を維持することが可能となる。
【０１３８】
付記３に記載の開閉装置の枠体によれば、戸袋側補強材が、戸袋側枠材の上側部分に位置する第１戸袋側補強材と、戸袋側枠材の下側部分に位置する第２戸袋側補強材と、戸袋側枠材の上側部分と下側部分との中間部分に位置する第３戸袋側補強材と、を備えたので、戸袋側枠材の略全体を補強することができ、戸袋側枠材の耐久性を向上させることができる。
【０１３９】
付記４に記載の開閉装置の枠体によれば、第１戸袋側補強材又は第２戸袋側補強材の少なくともいずれか一方を、第３戸袋側補強材とは別体に形成したので、第１戸袋側補強材、第２戸袋側補強材、及び第３戸袋側補強材を一体形成した場合に比べて、設置状況に応じて第１戸袋側補強材、第２戸袋側補強材、又は第３戸袋側補強材の少なくともいずれか１つの形状を変更でき、戸袋側補強材の取付性を向上できる。
【０１４０】
付記５に記載の開閉装置の枠体によれば、戸袋側枠材と戸袋とを接続するための接続手段を備えたので、戸袋側枠材と戸袋とを接続でき、戸袋側枠材の耐久性を一層向上させることができる。
【０１４１】
付記６に記載の開閉装置の枠体によれば、第１接続手段又は第２接続手段のいずれか一方を、戸袋側枠材及び戸袋に選択的に接続したので、設置状況に応じて第１接続手段又は第２接続手段のいずれか一方を戸袋側枠材及び戸袋に選択的に接続でき、接続手段の設置性を向上させることができる。
【０１４２】
付記７に記載の開閉装置の枠体によれば、戸袋側枠材を、支持手段とは別体に形成したので、支持手段及び戸袋側枠材を一体形成した場合に比べて、支持手段及び戸袋側枠材を設置する上で制約を受けることを回避できると共に、戸袋側枠材のサイズが過大になることを回避できる。よって、支持手段及び戸袋側枠材の設置性を維持しながら、戸袋側枠材のコンパクト化を図ることができる。
【符号の説明】
【０１４３】
１  第１開閉装置
２  壁
３  開口部
１０  第１枠体
１１  上側横枠
１２  下側横枠
１３  右側縦枠
１４  レール部
１５  第１枠体側止水部材
２０  扉体
３０  戸袋
３１  戸袋枠体
３１ａ  上側横枠材
３１ｂ  下側横枠材
３１ｃ  戸先側縦枠材
３１ｄ  戸尻側縦枠材
３１ｅ  出入口
３２  戸袋鏡板
３３  戸袋妻板
５０  戸袋側隙間
１００  第２開閉装置
１１０  第２枠体
１１１  内まぐさ
１１１ａ  内まぐさ本体
１１１ｂ  立上片
１１１ｃ  取付孔
１１３  水切り板
１１３ａ  水切り板本体
１１３ｂ  立上片
１１３ｃ  取付孔
１１３ｄ  溝部
１１４  戸袋側枠材
１１４ａ  枠材本体
１１４ｂ  第１枠材側接続片
１１４ｃ  第２枠材側接続片
１１４ｄ  切欠部
１１４ｅ  本体片
１１４ｆ  連結片
１１４ｈ  取付孔
１１４ｋ  取付孔
１１４ｌ  取付孔
１１４ｍ  取付孔
１１４ｎ  取付孔
１１５  戸袋反対側枠材
１１５ａ  枠材本体
１１５ｂ  第１枠材側接続片
１１５ｃ  第２枠材側接続片
１１５ｄ  枠材側取付片
１１５ｅ  固定具
１１６  まぐさ開口
１２０  シャッター収納部
１２１  ケース板
１２１ａ  第１収容側止水部材
１２２  駆動側軸受板
１２３  駆動側取付板
１２４  駆動側サイドキャップ
１２４ａ  第２収容側止水部材
１２４ｂ  固定具
１２５  従動側軸受板
１２６  従動側取付板
１２６ａ  係止部
１２６ｂ  取付部
１２６ｃ  取付孔
１２６ｄ  取付孔
１２６ｅ  取付孔
１２６ｆ  固定具
１２７  従動側サイドキャップ
１２７ａ  第３収容側止水部材
１３０  シャッターカーテン
１３１ａ  スラット
１３１ｂ  嵌合部
１３２  座板
１４０  巻取軸
１４１  駆動側軸受部
１４２  従動側軸受部
１５０  開閉機
１６０  戸袋側補強材
１６１  第１戸袋側補強材
１６１ａ  第１戸袋側補強材本体
１６１ｂ  第１取付部
１６１ｃ  第１補強材側片
１６１ｄ  第２補強材側片
１６１ｅ  第１切欠部
１６１ｆ  見込面
１６１ｈ  取付孔
１６１ｉ  取付孔
１６２  第２戸袋側補強材
１６２ａ  第２戸袋側補強材本体
１６２ｂ  第２取付部
１６２ｃ  第１補強材側片
１６２ｄ  第２補強材側片
１６２ｅ  第２切欠部
１６２ｆ  見込面
１６２ｇ  取付孔
１６２ｈ  取付孔
１６３  第３戸袋側補強材
１６３ａ  第１補強材側片
１６３ｂ  第２補強材側片
１６３ｃ  第３補強材側片
１６３ｄ  第３上側切欠部
１６３ｅ  第３下側切欠部
１６３ｆ  見込面
１６３ｇ  取付孔
１６３ｉ  取付孔
１７０  ガイドレール
１７０ａ  レールキャップ
１７１  ガイドレール本体
１７１ａ  本体枠部
１７１ｂ  外枠部
１７１ｃ  第１外枠側片
１７１ｄ  第２外枠側片
１７２  第１ガイドレール側接続片
１７３  第２ガイドレール側接続片
１７４  防振部材
１８０  接続部
１８１  第１接続側片
１８１ａ  取付孔
１８２  第２接続側片
１８２ａ  取付孔
２００  境界部
２０１  第１境界部
２０２  第２境界部
２０３  第３境界部
２０４  収納側境界部
２１０  第１戸袋側止水部材
２１１  水密材
２１２  コーキング材
２２０  第２戸袋側止水部材
２２１  水密材
２２２  コーキング材
２３０  第３戸袋側止水部材
２３１  水密材
２３２  コーキング材
２４０  ふかし部材
２５０  接続部
２５１  第１接続側片
２５１ａ  取付孔
２５２  第２接続側片
２５２ａ  取付孔
【図１】
2019082066.tif 000003
【図２】
2019082066.tif 000004
【図３】
2019082066.tif 000005
【図４】
2019082066.tif 000006
【図５】
2019082066.tif 000007
【図６】
2019082066.tif 000008
【図７】
2019082066.tif 000009
【図８】
2019082066.tif 000010
【図９】
2019082066.tif 000011
【図１０】
2019082066.tif 000012
【図１１】
2019082066.tif 000013
【図１２】
2019082066.tif 000014
【図１３】
2019082066.tif 000015
【図１４】
2019082066.tif 000016
【図１５】
2019082066.tif 000017
【図１６】
2019082066.tif 000018
【図１７】
2019082066.tif 000019
【図１８】
2019082066.tif 000020